(57)【要約】【課題】精度良く肌内蛍光物質の蓄積量を測定する。【解決手段】肌状態測定方法は、３種類以上の、生体の皮膚の色合いを特定するための参照光を測定部位（５０）に照射することによって生体から放射される放射光の測定結果を用いて、影響物質の影響度を算出する影響度算出工程（Ｓ５）と、算出された影響度を用いて蛍光強度を補正する蛍光強度補正工程（Ｓ６）と、を含んでいる。【選択図】図２
2015062572.tif 000002
【特許請求の範囲】
【請求項１】
２８０ｎｍ以上、４１０ｎｍ以下の波長範囲にピークを有する励起光を生体の測定部位に照射することによって生じる、測定対象物質の蛍光の強度に基づいて肌状態を測定する肌状態測定方法であって、
３８０ｎｍ以上、８００ｎｍ以下の波長範囲の３種類以上の、上記生体の皮膚の色合いを特定するための参照光を上記測定部位に照射することによって上記生体から放射される放射光の測定結果を用いて、上記測定部位に含まれると推定される影響物質の、上記蛍光の強度に及ぼす影響を示す影響度を算出する影響度算出工程と、
上記影響度算出工程において算出した影響度を用いて、上記蛍光の強度を補正する蛍光強度補正工程と、を含むことを特徴とする肌状態測定方法。
【請求項２】
上記放射光の測定結果に基づいて、上記皮膚の色の濃淡の度合いを示す濃淡値を算出する濃淡値算出工程をさらに含み、
上記影響度算出工程では、上記濃淡値算出工程において算出された上記濃淡値を用いて、上記影響度を算出することを特徴とする請求項１に記載の肌状態測定方法。
【請求項３】
上記濃淡値算出工程では、上記測定部位に照射された上記参照光の強度に対する上記放射光の強度の割合としての上記放射光の測定結果と、人目の標準的な分光感度を示す等色関数とを用いて、三刺激値を算出し、
上記三刺激値を用いて、上記濃淡値を算出することを特徴とする請求項２に記載の肌状態測定方法。
【請求項４】
上記濃淡値算出工程では、上記放射光の明度を示す明度値と、上記放射光に含まれる光のうちの黄色光の度合いを示す黄色度値とを用いて、上記濃淡値を算出することを特徴とする請求項２または３に記載の肌状態測定方法。
【請求項５】
上記濃淡値算出工程では、上記放射光に含まれる光のうちの赤色光の度合いを示す赤色度値をさらに用いて、上記濃淡値を算出することを特徴とする請求項４に記載の肌状態測定方法。
【請求項６】
上記濃淡値算出工程において算出した上記濃淡値を用いて、上記影響物質の濃度を算出する影響物質濃度算出工程をさらに含み、
上記影響度算出工程では、上記影響物質濃度算出工程において算出された上記影響物質の濃度を用いて、上記影響度を算出することを特徴とする請求項２から５のいずれか１項に記載の肌状態測定方法。
【請求項７】
上記参照光は、
青色領域の波長範囲の第１参照光と、
緑色領域の波長範囲の第２参照光と、
赤色領域の波長範囲の第３参照光と、
を含むことを特徴とする請求項１から６のいずれか１項に記載の肌状態測定方法。
【請求項８】
２８０ｎｍ以上、４１０ｎｍ以下の波長範囲にピークを有する励起光を生体の測定部位に照射することによって生じる、測定対象物質の蛍光の強度を示す蛍光データに基づいて肌状態を測定する肌状態測定装置であって、
３８０ｎｍ以上、８００ｎｍ以下の波長範囲の３種類以上の、上記生体の皮膚の色合いを特定するための参照光を上記測定部位に照射することによって上記生体から放射される放射光の測定結果を用いて、上記測定部位に含まれると推定される影響物質の、上記蛍光の強度に及ぼす影響を示す影響度を算出する影響度算出部と、
上記影響度算出部によって算出された影響度を用いて、上記蛍光データを補正する蛍光強度補正部と、を備えていることを特徴とする肌状態測定装置。
【発明の詳細な説明】
【技術分野】
【０００１】
本発明は、励起光を生体の測定部位に照射することによって生じる、測定対象物質の蛍光の強度に基づいて肌状態を測定する肌状態測定方法および肌状態測定装置に関する。
【背景技術】
【０００２】
従来、抗糖化（抗加齢）化粧品として、肌に蓄積したＡＧＥｓ（Advanced Glycation Endproducts；後期糖化反応生成物）の低減を目的としたものが商品化されている。このＡＧＥｓは、タンパク質と、糖質や脂質との非酵素的糖付加反応（メイラード反応）により形成される最終生成物であり、黄褐色を呈し、その一部は蛍光を発する物質である。また、ＡＧＥｓは、近くに存在する構造蛋白質と結合して架橋を形成する性質を有している。特にＡＧＥｓと真皮を構成しているコラーゲンとの架橋は、皮膚の弾力性を低下させるとともに、くすみの原因となることで問題となっている。
【０００３】
このようなＡＧＥｓをモニタリングすることで、肌の健康状態、老化を評価することができる。生体を侵襲することなく手軽にＡＧＥｓのデータを取得する方法として、皮膚コラーゲンに結合したＡＧＥｓからの蛍光スペクトルを測定し、測定した蛍光強度から肌に蓄積したＡＧＥｓの量を求める方法が知られている。
【０００４】
この方法では、メラニンなど皮膚中に存在する吸光物質が検出結果に影響を及ぼすことが知られている。つまり、メラニンなどの吸光物質が、入射する励起光の一部を吸収する、あるいは発生する蛍光の一部を吸収することで、ＡＧＥｓを正確に測定することを阻害するという問題点がある。
【０００５】
上記課題の対策として、特許文献１には、励起光スペクトルと発光スペクトルとから励起−発光マップを作成し、当該マップから反射率測定値を得て、当該反射率測定値を用いて蛍光測定値（蛍光強度）を補正する技術が開示されている。
【０００６】
また、特許文献２には、肌に励起光を照射することで発生する蛍光を測定するとともに、上記蛍光の波長を含む検査光を肌に照射し、その反射光を測定した結果を示す反射光データにより蛍光データを補正する技術が開示されている。
【先行技術文献】
【特許文献】
【０００７】
【特許文献１】特許第５０５３６９９号（２０１２年８月３日登録）
【特許文献２】特開２００４−２９０２３４号公報（２００４年１０月２１日公開）
【発明の概要】
【発明が解決しようとする課題】
【０００８】
しかしながら、特許文献１に開示された技術では、ＡＧＥｓに対する吸収物質の影響を排除するために、皮膚の色合い（肌の色味）の影響を加味して、蛍光強度の補正を行うことについては考慮されていない。また、特許文献２に開示された技術では、１波長の光の反射光強度を用いて蛍光強度を補正しているので、補正の精度が低いという問題があった。
【０００９】
本発明は上記問題点に鑑みてなされたものであり、その目的は、蛍光強度の補正の精度を向上させることにより、ＡＧＥｓを始めとする肌内蛍光物質の蓄積量を精度良く測定することが可能な肌状態測定方法および肌状態測定装置を実現することにある。
【課題を解決するための手段】
【００１０】
上記の課題を解決するために、本発明の一態様に係る肌状態測定方法は、
２８０ｎｍ以上、４１０ｎｍ以下の波長範囲にピークを有する励起光を生体の測定部位に照射することによって生じる、測定対象物質の蛍光の強度に基づいて肌状態を測定する肌状態測定方法であって、
３８０ｎｍ以上、８００ｎｍ以下の波長範囲の３種類以上の、上記生体の皮膚の色合いを特定するための参照光を上記測定部位に照射することによって上記生体から放射される放射光の測定結果を用いて、上記測定部位に含まれると推定される影響物質の、上記蛍光の強度に及ぼす影響を示す影響度を算出する影響度算出工程と、
上記影響度算出工程において算出した影響度を用いて、上記蛍光の強度を補正する蛍光強度補正工程と、を含んでいる。
【００１１】
上記の課題を解決するために、本発明の一態様に係る肌状態測定装置は、
２８０ｎｍ以上、４１０ｎｍ以下の波長範囲にピークを有する励起光を生体の測定部位に照射することによって生じる、測定対象物質の蛍光の強度に基づいて肌状態を測定する肌状態測定装置であって、
３８０ｎｍ以上、８００ｎｍ以下の波長範囲の３種類以上の、上記生体の皮膚の色合いを特定するための参照光を上記測定部位に照射することによって上記生体から放射される放射光の測定結果を用いて、上記測定部位に含まれると推定される影響物質の、上記蛍光の強度に及ぼす影響を示す影響度を算出する影響度算出部と、
上記影響度算出部によって算出された影響度を用いて、上記蛍光の強度を補正する蛍光強度補正部と、を備えている。
【発明の効果】
【００１２】
本発明の一態様によれば、測定対象物質から発せられた蛍光の強度を精度良く補正することができるので、測定対象である生体内に蓄積された測定対象物質の量を精度よく測定することができるという効果を奏する。
【図面の簡単な説明】
【００１３】
【図１】本発明に係る肌状態測定装置の要部構成を示すブロック図である。
【図２】肌状態測定装置における処理の流れの一例を示すフローチャートである。
【図３】本発明に係る実験例にて調製した皮膚ファントムモデルの一例を示す図である。
【図４】ＡＧＥ−ＢＳＡに直接（表皮層モデルを介さずに）励起光を照射して得られた蛍光スペクトルを示すグラフである。
【図５】皮膚ファントムモデルに使用した表皮層モデルの肌色値と、表皮層モデルに含まれる影響物質の濃度との関係を示すグラフである。
【図６】表皮モデルに含まれる影響物質の量と、測定対象物質（ＡＧＥｓ）の蛍光強度比との関係を示すグラフである。
【図７】頬における年齢と補正前後の蛍光強度との関係を示すグラフである。
【図８】手の甲における年齢と補正前後の蛍光強度との関係を示すグラフである。
【発明を実施するための形態】
【００１４】
本発明の各実施形態について、図１〜８を用いて説明する。まず、各実施形態にかかる肌状態測定装置１００の構成を図１に基づいて説明する。図１は、肌状態測定装置１００の要部構成を示すブロック図である。
【００１５】
肌状態測定装置１００は、図示の通り、測定装置１０および判定装置２０を備えている。なお、測定装置１０および判定装置２０は別個の装置であり、例えば有線または無線により互いに通信可能に接続されているものとして説明するが、測定装置１０および判定装置２０は一体であってもよい。
【００１６】
肌状態測定装置１００では、測定装置１０において測定対象物質である肌内蛍光物質を検出するための励起光が出射される。また、測定装置１０において、測定部位５０の皮膚の色合いを特定するための３種類以上の参照光が出射される。また、測定装置１０は、励起光の出射によって発生した蛍光を検出および測定し、測定結果（蛍光スペクトルなど）を判定装置２０へと送信する。さらに、測定装置１０は、参照光の出射によって発生した放射光を検出および測定し、測定結果（反射率など）を判定装置２０へと送信する。
【００１７】
判定装置２０は、測定装置１０から受信した放射光の測定結果から、測定部位５０の皮膚の色合い（肌の色味）を示す肌色値（測色値）を算出し、肌色値から、測定対象物質から生じる蛍光の強度（蛍光強度）に影響を及ぼす可能性のある物質（影響物質）の濃度を算出する。続いて、当該影響物質が、測定対象物質の蛍光強度に与える影響の度合い（影響度）を算出する。そして、判定装置２０は、上記蛍光の測定結果と上記影響度とを用いることにより得られた補正後の蛍光強度から、測定部位５０の肌状態を判定する。
【００１８】
なお、肌状態測定装置１００は、上記３種類以上の参照光が測定部位５０に照射されたときの放射光の測定結果を用いて、上記影響度を算出し、その影響度を用いて測定対象物質の蛍光強度を補正可能な構成であればよい。より具体的には、判定装置２０において少なくとも皮膚の色合いを算出し、その皮膚の色合いに基づいて上記蛍光強度を補正可能な構成であればよい。
【００１９】
また、測定装置１０の測定対象となる測定部位５０は、例えば、腕、手首、指、手のひら、頬、耳等であり、これらの測定部位５０に対して励起光および参照光が照射される。
【００２０】
また、上記影響物質とは、測定部位５０に含まれると推定される物質である。例えば、上記影響物質とは、上記励起光を吸収する物質、または励起光の照射によって生じる蛍光を吸収する物質である。生体の肌内に含まれる影響物質としては、例えば、メラニンおよびヘモグロビンが挙げられる。
【００２１】
〔実施の形態１：測定装置〕
≪測定装置１０の概要≫
測定装置１０は、測定対象の個体（生体）の肌（皮膚）における測定部位５０に対して励起光を照射し、当該照射によって生じる、測定対象物質の蛍光スペクトルを示す蛍光データを測定する。また、測定装置１０は、上記蛍光データに基づく蛍光強度を補正するための３種類以上の参照光を測定部位５０に照射し、当該照射によって生体から放射される放射光から放射光データを測定する。
【００２２】
すなわち、蛍光データとは、励起光を測定部位５０に照射することにより発生する蛍光（肌に含まれる物質に由来する蛍光）の蛍光スペクトルを示すデータである。
【００２３】
また、放射光データとは、各種参照光を測定部位５０に照射することにより発生する放射光の測定結果、または当該測定結果から得られた放射光の反射率を示すデータである。
【００２４】
なお、放射光データは、放射光の反射率を示す、または算出するためのデータであればよく、具体的には、測定部位５０に照射された参照光の強度に対する放射光の強度の割合を示す反射率、参照光の吸光度、参照光の強度に対する、当該参照光が肌を透過するときの光（透過光）の強度の割合を示す透過率、または、上記参照光、反射光あるいは透過光の強度そのものを示すデータなどを含んでいてよい。
【００２５】
しかしながら、測定装置１０が取得するデータは、このような蛍光や放射光のデータのみに限られず、その他の物性情報（または物理量）を取得するようにしてもよい。すなわち、測定装置１０は、各実施形態において示す光の強度の他、例えば、その半値幅、検出された光の波長、肌の透過率などといった、肌の一部に含まれる物質などに由来する物性情報（または物理量）のいずれかを特定するものであればよい。
【００２６】
なお、測定装置１０は、据え置き型の装置であっても、ユーザが保持するタイプの装置であってもよい。
【００２７】
≪測定装置１０の構成≫
測定装置１０は、さらに詳しくは、励起光源（励起光照射部）１１と、検出器１２と、第１参照光源（参照光照射部）１３と、第２参照光源１４（参照光照射部）と、第３参照光源（参照光照射部）１５とを備えている。
【００２８】
＜励起光源１１＞
励起光源１１は、測定部位５０に励起光を照射するための光源である。上記励起光としては、例えば２８０ｎｍ以上、４１０ｎｍ以下の波長範囲にピークを有する波長光を用いることができる。
【００２９】
なお、励起光の波長範囲は、測定対象物質の種類に応じて設定すればよい。例えば、励起光の波長範囲を、後期糖化反応生成物（ＡＧＥｓ（Ａｄｖａｎｃｅｄ  Ｇｌｙｃａｔｉｏｎ  Ｅｎｄｐｒｏｄｕｃｔｓ））を検出することが可能な波長範囲に設定してもよい。
【００３０】
ＡＧＥｓには、現在構造が明らかになったものだけでも２０ほどの種類があり、その中で励起光を照射すると蛍光を発するものがいくつかある。例えば、ペントシジンおよびベスパーリジンはＡＧＥｓの代表的な例である。
【００３１】
ペントシジンはペントースと等モルのリジンとアルギニンとが架橋した構造を有し、酸加水分解後に安定な蛍光性物質である。このペントシジンは、特に糖尿病の発症や末期の腎症において増加することが報告されている。ペントシジンは、３２８〜３３５ｎｍの波長の励起光を受けて３７８〜３８５ｎｍの蛍光を発する。
【００３２】
また、ベスパーリジンはＡＧＥ化ウシ血清アルブミン（ＢＳＡ）を酸加水分解した後、主要な蛍光性物質として単離され、２分子のリジンを架橋した構造を有している。ベスパーリジンは、３７０ｎｍの波長の励起光を受けて４４０ｎｍの蛍光を発する。
【００３３】
これらのＡＧＥｓを検出するための励起光の波長としては、３７０ｎｍまたはその近傍の波長（２８０〜４１０ｎｍ）が適している。ＡＧＥｓの種類によって適応する励起光の幅としては、近紫外領域である２８０〜４００ｎｍから可視光領域である４００〜６００ｎｍのものが適している。すなわち、ＡＧＥｓを検出するための励起光の波長範囲として２８０ｎｍ以上、６００ｎｍ以下の範囲を設定することができる。
【００３４】
このような波長の光を測定部位５０の特定部位（例えば、真皮など）に照射することにより、照射位置の真皮に蓄積している測定対象物質（例えば、ＡＧＥｓ）からの蛍光が得られる。
【００３５】
なお、励起光源１１は、上記波長範囲の励起光を測定部位５０に照射できれば、その光源の種類及び構造は特に限定されない。例えば、励起光源１１として、ハロゲンやキセノン光源のような管球タイプの光源や、ＬＥＤ、ＬＤ等を使用することができる。
【００３６】
励起光源１１から出射される励起光は、直接、測定部位５０に照射されてもよく、入射用光ファイバーや光学ロッド等の導光部材（プローブ）によって測定部位５０まで導光されてもよい。このような導光部材も励起光照射部に含めることができる。
【００３７】
励起光の照射および蛍光の受光のために光ファイバーを用いる場合には、励起光出射用ファイバーと蛍光受光用ファイバーとが束ねられたバンドルファイバーを用いてもよい。励起光出射用ファイバーおよび励起光源１１、ならびに、蛍光受光用ファイバーおよび検出器１２はＳＭＡ（Sma[Sab Miniature Type A]）コネクタを通して結合されればよい。プローブとして光ファイバーを用いることにより、励起光をできるだけロス無く測定部位５０まで導くことができる。
【００３８】
＜第１参照光源１３・第２参照光源１４・第３参照光源１５＞
第１参照光源１３、第２参照光源１４および第３参照光源１５は、生体の皮膚の色合いを特定するための、互いに異なる波長範囲にピークを有する参照光を、それぞれ測定部位５０に照射するための光源である。上記参照光としては、例えば３８０ｎｍ以上、８００ｎｍ以下の波長範囲にピークを有する波長光を用いることができる。以降、第１参照光源１３が出射する参照光を第１参照光、第２参照光源１４が出射する参照光を第２参照光、第３参照光源１５が出射する参照光を第３参照光と記述することもある。
【００３９】
第１参照光源１３は、３８０ｎｍ以上、５００ｎｍ未満（青色領域）の波長範囲にピークを有する第１参照光を、測定部位５０に照射するための光源である。より望ましくは、第１参照光源１３は、４３０ｎｍ以上、５００ｎｍ未満の波長範囲にピークを有する青色光を第１参照光として発する光源である。
【００４０】
第２参照光源１４は、５００ｎｍ以上、６００ｎｍ未満（緑色領域）の波長範囲にピークを有する第２参照光を、測定部位５０に照射するための光源である。より望ましくは、第２参照光源１４は、５００ｎｍ以上、５８０ｎｍ以下の波長範囲にピークを有する緑色光を第２参照光として発する光源である。
【００４１】
第３参照光源１５は、６００ｎｍ以上、８００ｎｍ以下（赤色領域）の波長範囲にピークを有する第３参照光を、測定部位５０に照射するための光源である。より望ましくは、第３参照光源１５は、６１０ｎｍ以上、７２０ｎｍ以下の赤色光を第３参照光として発する光源である。
【００４２】
以上のような第１〜第３の参照光が測定部位５０に照射されると、例えば、その一部が放射光として測定部位５０において反射する。
【００４３】
なお、上記参照光を出射可能な参照光源は、互いに波長範囲が異なる少なくとも３種類以上の参照光を出射可能であればよい。例えば、測定装置１０は、当該参照光源として、第１〜第３参照光源１３〜１５以外に、上記第１〜第３参照光とは異なる波長範囲にピークを有する参照光を出射可能な光源を備えていてもよい。
【００４４】
また、第１参照光源１３、第２参照光源１４、および第３参照光源１５が別体として構成されている必要は必ずしもなく、例えば白色ＬＥＤなどの白色光源のように、第１参照光源１３、第２参照光源１４、および第３参照光源１５のそれぞれから出射される参照光に相当する波長光を出射可能な単一の光源として参照光源が構成されていてもよい。
【００４５】
なお、第１参照光源１３、第２参照光源１４、および第３参照光源１５は、上記波長範囲の参照光を測定部位５０に照射できれば、その光源の種類及び構造は特に限定されない。例えば、第１参照光源１３、第２参照光源１４、および第３参照光源１５として、ハロゲンやキセノン光源のような管球タイプのものや、ＬＥＤ、ＬＤ等が利用可能である。また、単一の光源として参照光源が構成される場合には、当該参照光源として、太陽の北側昼光に相当する波長光を出射可能な光源、標準光源（Ａ光源、Ｃ光源、Ｄ６５光源等）、または人工光源である常用光源（Ｄ５５光源、Ｄ５０光源等）などが使用できる。特に、常用光源としてハロゲンランプ、キセノンランプ等の白色光源、ならびに白色ＬＥＤなどを使用することが望ましい。
【００４６】
第１参照光源１３、第２参照光源１４および第３参照光源１５から出射される参照光は、直接、測定部位５０に照射されてもよく、光ファイバー等の導光部材によって測定部位５０まで導光されてもよい。このような導光部材も参照光照射部に含めることができる。
【００４７】
参照光の照射および放射光の受光のために光ファイバーを用いる場合には、参照光出射用ファイバーと放射光受光用ファイバーとが束ねられているバンドルファイバーを用いてもよい。第１参照光出射用ファイバーと第１参照光源１３、第２参照光出射用ファイバーと第２参照光源１４、および、第３参照光出射用ファイバーと第３参照光源１５とはＳＭＡコネクタを通して結合されればよい。蛍光を検出する検出器と放射光を検出する検出器とが同一である場合には、放射光受光用ファイバーを、蛍光受光用ファイバーと兼用してもよい。
【００４８】
プローブとして光ファイバーを用いることにより、放射光をできるだけロス無く検出器１２まで導くことができる。
【００４９】
励起光と参照光とは、測定部位５０における概ね同一の位置に照射されることが好ましい。そのため、励起光出射用ファイバーの励起光出射端部と、参照光出射用ファイバーの参照光出射端部とは、近接した位置に配置されていることが好ましい。受光用ファイバーを蛍光受光用と放射光受光用とで兼用する場合には、励起光出射用ファイバー、参照光出射用ファイバーおよび受光用ファイバーをバンドルファイバーとして形成してもよい。
【００５０】
蛍光を検出する場合、蛍光収率を高めるために、受光用ファイバーを測定対象に対して垂直に配置することが望ましい。
【００５１】
一方、反射光を検出する場合は、参照光出射用ファイバーから出射される参照光の入射角と受光用ファイバーが受ける反射光の反射角とが等しい位置に各ファイバーを配置することが望ましい。この場合に、反射光の収率が高くなる。
【００５２】
したがって、蛍光と反射光とを同一の受光ファイバーで受ける場合は、全てのファイバーが測定対象に対して垂直に配置されていることが望ましい。
【００５３】
＜検出器１２＞
検出器１２は、上記励起光が測定部位５０の表面（肌）に照射されることによって発生した蛍光を、反射用光ファイバー等の光学部材を通して受光し、その蛍光の波長ごとの強度を測定する。すなわち、検出器１２は、どの波長の蛍光がどの程度の強さで検出されたのかを測定する。
【００５４】
なお、反射用光ファイバーを用いることは必須ではなく、検出器１２が上記蛍光を直接受光してもよい。
【００５５】
検出器１２としてはＣＣＤ（charge-coupled device）アレイやＣＭＯＳ（ｃ metal-oxide semiconductor）イメージセンサといった半導体検出器、光電子倍増管（ＰＭＴ）、チャンネルトロン検出器、ＰＤ（フォトダイオード）、または、所定の波長範囲の光を選択的に検出できるフィルタとＰＤとを組み合わせた検出器等が利用可能である。ただし、測定装置１０の可搬性を高める上では、半導体検出器を用いるほうが有利である。
【００５６】
一方で、検出器１２は、参照光を測定部位５０に照射することによって生体から放射される放射光（反射光、蛍光など）を、反射用光ファイバー等の光学部材を通して受光し、その強度を測定する。すなわち、検出器１２は、蛍光測定部と放射光測定部との２つの測定部の機能を兼ね備えている。
【００５７】
放射光測定部としての検出器１２は、第１〜第３参照光源１３〜１５から発せられる参照光の波長範囲と同範囲の波長を検出できるものであればよい。例えば、２８０〜９００ｎｍの範囲が検出できるような検出器であれば利用可能である。
【００５８】
蛍光は励起光よりも波長が長いため、蛍光測定部としての検出器１２は、３２０〜５００ｎｍの範囲の光が検出できるものであればよいが、蛍光についても、ＡＧＥｓの種類によって検出される波長に幅があるため、３２０〜９００ｎｍの範囲が検出できるような検出器であれば利用可能である。
【００５９】
また、励起光源１１と検出器１２との組を測定対象物質測定部１６として捉え、第１参照光源１３、第２参照光源１４、および第３参照光源１５と、検出器１２との組を影響物質測定部１７として捉えることもできる。また、蛍光測定部としての検出器１２と、放射光測定部としての検出器１２とを別々に設けてもよい。
【００６０】
励起光源１１と検出器１２、および参照光源１３と検出器１２とは、同期しており、検出器１２が受光した光が、どの光源からの光を照射することによって得られたものであるかが判別可能になっている。
【００６１】
測定装置１０の各光源から励起光または参照光を出射するタイミングは、ユーザが決定してもよいが、利便性を考慮して、測定装置１０が備える制御部（不図示）によって制御されることが好ましい。励起光を出射するタイミングと、参照光を出射するタイミングとの間に大きな時間差があった場合には、その間にプローブの先端と測定部位５０との位置関係がずれる可能性がある。そのため、励起光を出射するタイミングと、参照光を出射するタイミングとの時間間隔は短い方が好ましい。また、励起光と参照光とを出射する順序は特に限定されない。
【００６２】
検出器１２は、励起光源１１から励起光が出射された後に蛍光を受光すると、当該蛍光の波長ごとの蛍光強度を測定し、その測定結果を示す蛍光データを判定装置２０のデータ取得部３１へ出力する。
【００６３】
また、検出器１２は、第１参照光源１３から第１参照光が出射された後に、当該第１参照光の照射によって発生した第１放射光の強度を測定し、その第１放射光の強度と、第１参照光源１３から出射された第１参照光そのものの強度（反射率１００％のときの強度）とから第１参照光の反射率を算出する。そして、第１参照光の反射率を示す第１放射光データをデータ取得部３１へ出力する。
【００６４】
反射率１００％の参照光の強度は、予め測定されており、記憶部２２に記憶されていることが好ましい。ただし、この測定のタイミングは、放射光の強度を測定した後でもよく、肌色値算出部３２において肌色値が算出される前に行われればよい。
【００６５】
なお、放射光および参照光の強度以外のデータ（参照光の吸光度、参照光の透過率、透過光の強度など）を測定した場合は、当該データから放射光の反射率を算出し、算出した反射率を放射光データとして後述の判定装置２０へと送信してもよい。また、上記測定した各種データそのものを放射光データとしてデータ取得部３１へと出力してもよい。
【００６６】
検出器１２は、第２参照光および第３参照光についても同様の処理を行い、第２参照光の反射率を示す第２放射光データ、および、第３参照光の反射率を示す第３放射光データをデータ取得部３１へ出力する。
【００６７】
なお、第１〜第３参照光は、測定部位５０に順次照射されてもよいし、同時に照射されてもよい。
【００６８】
蛍光データ、第１〜第３放射光データ（放射光データ）は、互いに対応付けられてデータ取得部３１へ出力される。
【００６９】
また、検出器１２にて放射光データの測定を行うときは、例えば、色彩色差計または分光測色計を用いることができる。
【００７０】
〔実施の形態２：判定装置〕
≪判定装置２０の構成≫
判定装置２０は、測定装置１０が測定した波長ごとの蛍光強度（蛍光スペクトル）を示す蛍光データと、参照光の照射により得られた放射光データとを用いて、上記蛍光強度を補正し、補正した蛍光強度を用いて、測定対象の個体の肌の状態を判定する。すなわち、判定装置２０は、補正された蛍光強度から測定部位５０の肌状態を診断し、当該診断結果を被験者に提示するものである。さらに詳しくは、判定装置２０は、放射光データから肌色値を算出し、当該肌色値に応じて、肌内蛍光物質の蛍光強度を補正することにより、測定部位５０の肌状態を正確に診断する装置である。判定装置２０は、さらに詳しくは、表示部２１と、記憶部２２と、制御部３０とを含む。なお、判定装置２０は、パーソナルコンピュータであってもよい。
【００７１】
＜表示部２１＞
表示部２１は、制御部３０の制御に従って画像を表示するものであり、例えば判定部３６の判別結果を表示する表示装置である。表示部２１は、例えば液晶ディスプレイ（ＬＣＤ）などを使用することができる。
【００７２】
＜記憶部２２＞
記憶部２２は、判定装置２０にて使用する各種データを記憶するものである。記憶部２２は、例えば、ハードディスク、フラッシュメモリなどの不揮発性の記憶装置であり、測定部位５０の肌状態の診断結果を示す測定データ、各種データを算出するための検量線を示す計算式、参照蛍光強度、およびユーザ設定情報などの各種情報を記憶する。なお、上記検量線および参照蛍光強度については後述する。
【００７３】
＜制御部３０＞
制御部３０は、判定装置２０を統括的に制御するものである。制御部３０は、データ取得部３１と、肌色値算出部３２と、影響物質濃度算出部３３と、影響度算出部３４と、蛍光強度補正部３５と、判定部３６とを含む。
【００７４】
＜データ取得部３１＞
データ取得部３１は、測定装置１０の検出器１２から、放射光データおよび蛍光データを取得するものである。加えて、データ取得部３１は、上記蛍光データが示す蛍光スペクトルに対してピークの分離・抽出などの解析を行い、特定のピーク波長における肌内蛍光物質（好ましくはＡＧＥｓ）の蛍光強度を抽出する。取得された放射光データは肌色値算出部３２へ、抽出された蛍光強度を示す抽出蛍光データ（図１に示す蛍光データ）は蛍光強度補正部３５へと送信される。
【００７５】
＜肌色値算出部３２＞
肌色値算出部３２は、放射光データから、皮膚の色の濃淡の度合い（皮膚の色合い）を示す肌色値（濃淡値）を算出するものである。肌色値算出部３２は、データ取得部３１から放射光データを受信すると、当該放射光データに含まれる反射率から、以下の方法により測定部位５０の肌色値を算出する。
【００７６】
（肌色値の算出）
肌の色味を数値で表現する方法としては、ＣＩＥ（国際照明委員会）で１９３１年に採択された三色表色系（ＸＹＺ表色系）、および、１９７６年に制定されたＬ＊ａ＊ｂ＊表色系を用いるものなどが挙げられる。
【００７７】
肌色値算出部３２は、例えば、後述の三刺激値直読法または分光測色法を用いて三刺激値Ｘ、Ｙ、Ｚを算出し、三刺激値Ｘ、Ｙ、Ｚから、Ｌ＊値、ａ＊値、ｂ＊値を算出する。そして、Ｌ＊値、ａ＊値、ｂ＊値からＩＴＡ°（Individual Typology Angle）を求め、これを肌色値とする。
【００７８】
三色表色系とは、ヒトの目の網膜細胞にある３種類の錐体｛Ｌ錐体（Ｒ（赤色）錐体）、Ｍ錐体（Ｇ（緑色）錐体）、Ｓ錐体（Ｂ（青色）錐体）｝の刺激に基づいて、三刺激値Ｘ、Ｙ、Ｚを算出することにより、色を数値化する方法である。三刺激値Ｘ、Ｙ、Ｚは、上記３種類の錐体の知覚感度を指し、三刺激値直読法または分光測色法を用いて算出することができる。以下、三刺激値直読法および分光測色法について詳細に説明する。
【００７９】
（三刺激値直読法）
まず、三刺激値直読法について説明する。三刺激値直読法とは、ヒトの目に対応する分光感度とほぼ同一の感度を有するセンサを用いて、測定対象（試料）から放射された光を当該分光感度にあわせて分光し、当該分光された光のスペクトル（分光値）を元に積分計算を行うことにより、三刺激値Ｘ、Ｙ、Ｚを算出する方法である。ヒトの目に対応する分光感度は、ＣＩＥ（国際照明委員会）で標準観察者の分光感度として規定されており、以下の式（１）のような感度曲線（人目の標準的な分光感度を示す等色関数）で表される。
【００８０】
【数１】
2015062572.tif 000003
【００８１】
上述の通り、各実施形態では、第１〜第３参照光源１３〜１５は、それぞれ青色（Ｂ）、緑色（Ｇ）、赤色（Ｒ）の３原色の光を発する１組の光源であり、上記３原色の光が測定部位５０に対して照射される。また、検出器１２にて、第１〜第３参照光を照射し得られた放射光の光強度から放射光の反射率が算出され、放射光データとして肌色値算出部３２に送信される。この放射光データ（反射率）から上記三刺激値 Ｘ、Ｙ、Ｚを求めることが可能である。
【００８２】
（分光測色法）
次に、分光測色法について説明する。分光測色法とは、三刺激値直読法において用いられるセンサよりも分光精度の高いセンサを用いて、測定対象から放射された光を当該センサの分解能にあわせて分光し、当該分光された各波長範囲の光のスペクトル（分光値）を元に積分計算を行うことにより、三刺激値 Ｘ、Ｙ、Ｚを算出する方法である。上記分光精度の高いセンサとしては、例えば、数十ｎｍ程度の分解能を有するセンサを組み合わせることにより実現される。
【００８３】
ここで、三刺激値 Ｘ、Ｙ、Ｚは、下記の式（２）〜（４）から求めることができる。
【００８４】
【数２】
2015062572.tif 000004
【００８５】
【数３】
2015062572.tif 000005
【００８６】
【数４】
2015062572.tif 000006
【００８７】
なお、式（２）〜（４）中のＫは定数、Ｐ（λ）は第１〜第３参照光源１３〜１５から照射される参照光の波長範囲の分光分布、Ｒ（λ）は測定対象における前記参照光の反射率である。すなわち、三刺激値Ｘ、Ｙ、Ｚは、上記反射率と、Ｘ、Ｙ、およびＺそれぞれに対応する等色関数（式（１））とを用いて算出される。
【００８８】
また、上記の式（２）〜（４）中のＫは、次のように定義される。
【００８９】
【数５】
2015062572.tif 000007
【００９０】
また、検出器１２としては、三刺激値直読法による肌色値算出が行われる場合には色彩色差計が用いられ、分光測色法による肌色値算出が行われる場合には分光測色計が用いられることが好ましい。検出器１２として色彩色差計および分光測色計が用いられる場合には、測定装置１０の制御部（不図示）に肌色値算出部３２が備えられていてもよい。この場合、データ取得部３１は、放射光データの代わりに、肌色値算出部３２の算出結果（肌色値を示す肌色値データ）を測定装置１０から取得し、当該肌色値データを影響物質濃度算出部３３に送信する。
【００９１】
さらに、肌色値算出部３２において、上記の方法により肌色値が算出される場合には、三刺激値Ｘ、Ｙ、Ｚを算出するため、測定部位５０に照射される参照光として可視光が用いられることが好ましい。より具体的には、参照光の波長範囲（上記各数式のλ）は、４００ｎｍ以上７００ｎｍ以下であればよいが、可視光の波長範囲の中で、できるだけ広い波長範囲の光を参照光として照射することにより、上述の分光測色法にてより広い波長範囲のスペクトルに基づき、より精度よく上記三刺激値Ｘ、Ｙ、Ｚを算出することができる。この点を考慮すれば、参照光の波長範囲は、より好ましくは３８０ｎｍ以上、８００ｎｍ以下であればよい。また、三刺激値直読法を用いて三刺激値Ｘ、Ｙ、Ｚが算出される場合には、青色光、緑色光、赤色光をそれぞれ出射可能な第１〜第３参照光源１３〜１５が参照光源として用いられることが好ましい。
【００９２】
（三刺激値からのＬ＊値、ａ＊値、ｂ＊値の算出）
続いて、三刺激値Ｘ、Ｙ、ＺからＬ＊値、ａ＊値、ｂ＊値を算出する方法について説明する。Ｌ＊値、ａ＊値、ｂ＊値は、三刺激値Ｘ、Ｙ、ＺがそれぞれＸ／Ｘｎ＞０．００８８５６、Ｙ／Ｙｎ＞０．００８８５６、Ｚ／Ｚｎ＞０．００８８５６であるとき、それぞれ以下の式（５）〜（７）、
Ｌ＊＝１１６×（Ｙ／Ｙｎ）１／３−１６・・・（５）
ａ＊＝５００×｛（Ｘ／Ｘｎ）１／３−（Ｙ／Ｙｎ）１／３｝・・・（６）
ｂ＊＝２００×｛（Ｙ／Ｙｎ）１／３−（Ｚ／Ｚｎ）１／３｝・・・（７）
により算出できる。なお、上記Ｘｎ、Ｙｎ、Ｚｎは完全拡散表面の三刺激値である。
【００９３】
なお、上記ＸｎがＸ／Ｘｎ≦０．００８８５６であるときは、立方根の項、すなわち（Ｘ／Ｘｎ）１／３の項を以下の式（８）、
７．７８７×（Ｘ／Ｘｎ）＋１６／１１６・・・（８）
に置き換えて計算すればよい。また、ＹｎがＹ／Ｙｎ≦０．００８８５６であるときは、（Ｙ／Ｙｎ）１／３の項を以下の式（９）、
７．７８７×（Ｙ／Ｙｎ）＋１６／１１６・・・（９）
に置き換えて計算すればよい。また、ＺｎがＺ／Ｚｎ≦０．００８８５６であるときは、（Ｚ／Ｚｎ）１／３の項を以下の式（１０）
７．７８７×（Ｚ／Ｚｎ）＋１６／１１６・・・（１０）
に置き換えて計算すればよい。
【００９４】
（Ｌ＊値およびｂ＊値からのＩＴＡ°の算出）
最後に、Ｌ＊値およびｂ＊値から肌色値としてＩＴＡ°を算出する方法について説明する。ＩＴＡ°は、例えば、以下の式（１１）、
ＩＴＡ°
＝［ＡｒｃＴａｎ｛（Ｌ＊−５０）／ｂ＊｝］×１８０／３．１４１６・・・（１１）
により算出できる。
【００９５】
以上の処理により、肌色値算出部３２は、データ取得部３１から受信した放射光データから、三刺激値Ｘ、Ｙ、Ｚを算出し、三刺激値Ｘ、Ｙ、Ｚから、Ｌ＊値、ａ＊値、ｂ＊値を算出し、Ｌ＊値およびｂ＊値から肌色値（ＩＴＡ°）を算出する。
【００９６】
ところで、Ｌ＊ａ＊ｂ＊表色系においてＬ＊値は、色の明るさ（白黒）を示す明度値であり、ｂ＊値は、黄色の色合いを示す数値である。換言すれば、Ｌ＊値は、放射光の明度を示す明度値であり、ｂ＊値は、放射光に含まれる光のうち黄色光の度合いを示す黄色度値である。したがって、算出された肌色値（ＩＴＡ°）は、肌色の明るさ（白さ）や黄色の強さ（濃さ）など、ヒトの皮膚の色を特定する上で重要な色の濃淡を示す有効な値であるといえる。
【００９７】
算出された肌色値は、肌色値データとして影響物質濃度算出部３３へと送信される。
【００９８】
なお、肌色値算出部３２は、ＩＴＡ°の代わりに、Ｌ＊値、ａ＊値、ｂ＊値を肌色値としてもよい。この場合、Ｌ＊値、ａ＊値、ｂ＊値を肌色値データとして影響物質濃度算出部３３へ送信してもよい。
【００９９】
また、測定装置１０から放射光データとして参照光の吸光度、放射光の強度、または参照光の透過率など反射率以外のデータを受信した場合、肌色値算出部３２は、上記データから反射率を算出し、当該反射率を用いて三刺激値 Ｘ、Ｙ、Ｚを算出すればよい。
【０１００】
例えば、参照光の吸光度は、以下の式（１２）、
（吸光度）＝ｌｏｇ１０（ｌ０／ｌ）・・・（１２）
にて示される。上記式（１２）において、ｌ０は、反射率１００％の場合の参照光の光強度であり、ｌは、参照光を測定部位５０に照射することで発生した放射光（反射光）の光強度である。つまり、ｌ０／ｌは、反射率の逆数であるので、上記式（１２）に吸光度を代入することで、放射光の反射率を求めることができる。
【０１０１】
＜影響物質濃度算出部３３＞
影響物質濃度算出部３３は、肌色値から、生体に含まれる影響物質の濃度を算出するものである。影響物質濃度算出部３３は、肌色値算出部３２から受信した肌色値データが示す肌色値を、検量線を示す数式に代入することにより、影響物質の濃度を算出する。ここで、検量線を示す数式とは、肌色値から影響物質の濃度を算出するための数式であり、肌色値と、影響物質の濃度との関係を示す数式である。算出された影響物質の濃度は、濃度データとして影響度算出部３４へと送信される。
【０１０２】
なお、上記検量線を示す数式は、予め記憶部２２に格納されており、影響物質濃度算出部３３は記憶部２２から上記検量線の数式を取得する。
【０１０３】
（検量線の算出）
種々の肌内影響物質の濃度の算出方法として、当該影響物質の濃度を算出する方法がある。その一例として、濃度既知の影響物質を用いた実験において、重回帰分析の一種である最小二乗法を用いて検量線を示す数式を算出する方法を挙げる。
【０１０４】
具体的には、互いに異なる濃度の影響物質を含む、複数種類の生体組織モデル（皮膚ファントムモデル）に対して、参照光を照射した時に得られる放射光データから算出する肌色値と、化学分析により算出する各生体組織モデルに含有される影響物質の濃度との関係を示す検量線を予め作成しておく。
【０１０５】
例えば、生体組織モデルに含まれるメラニン量を変化させたときのメラニン濃度と、当該生体組織モデルに参照光を照射したときに得られる放射光データに基づいて算出される肌色値（ＩＴＡ°）との関係を示す検量線は、以下の式（１３）、
Ｍ＝ｃ１×ＩＴＡ°＋ｄ１・・・（１３）
で示すことができる。すなわち、式（１３）によると、ＩＴＡ°に応じて、メラニン濃度の補正係数を得ることができる。なお、ここでは一例として、線形近似で近似曲線を引き、近似曲線の傾きｃ１および切片ｄ１の値を用いて補正（メラニン濃度を算出）する例を示している。式（１３）において、Ｍはメラニン濃度（μｇ／ｍｍ２）である。なお、以下の式（１４）〜（１６）においても同様である。
【０１０６】
なお、上記の近似方法以外に、指数近似、対数近似、多項式近似などを用いてもよい。例えば、以下の式（１４）、
Ｍ＝ｃ２×ｅｘｐ｛ｄ２×ＩＴＡ°}・・・（１４）
に示すように、自然対数ｅを底とする近似曲線を引き、係数ｃ２およびｄ２の値を用いて補正してもよい。
【０１０７】
また、メラニン以外の影響物質（例えばヘモグロビン）の濃度も、上述した方法と同様の方法で算出することができる。
【０１０８】
一方、肌色値として肌色値算出部３２からＬ＊値、ａ＊値、ｂ＊値を受信した場合、影響物質濃度算出部３３は、Ｌ＊値、ａ＊値、ｂ＊値を用いて影響物質の濃度を多変量解析により近似しても良い。この場合は、以下の式（１５）、
Ｍ＝ｅ１×Ｌ＊＋ｆ１×ａ＊＋ｇ１×ｂ＊＋ｈ１・・・（１５）
に示すように、線形近似で近似曲線を引き、近似曲線の係数ｅ１、ｆ１、ｇ１、ｈ１の値を用いて補正してもよい。
【０１０９】
また、上記数式の代わりに、以下の式（１６）、
Ｍ＝ｉ×ｅｘｐ｛ｅ２×Ｌｎ（Ｌ＊）
＋ｆ２×Ｌｎ（ａ＊）＋ｇ２×Ｌｎ（ｂ＊）＋ｈ２｝・・・（１６）
に示すように、指数近似で、自然対数ｅを底とする近似曲線を引き、係数ｅ２、ｆ２、ｇ２、ｈ２、ｉの値を用いて補正してもよい。式（１６）において、Ｌｎは自然対数である。
【０１１０】
ところで、Ｌ＊ａ＊ｂ＊表色系において、ａ＊値は、赤色の色合いを示す数値である。換言すれば、ａ＊値は、放射光に含まれる光のうち赤色光の度合いを示す赤色度値である。したがって、上記の数式が示す検量線を用いて影響物質の濃度を算出する場合は、Ｌ＊値（明度値）、ｂ＊値（黄色の強さ）に加え、赤色の強さも肌色値に加味することができる。ヒトの皮膚にはヘモグロビンなどの赤色色素も含まれているので、Ｌ＊値、ｂ＊値に加えａ＊値も肌色値に含むことにより、ヒトの皮膚の色合いをさらに精度よく特定することができる。
【０１１１】
なお、上記の方法に限らず、例えば多変量解析によって上記濃度を算出してもよい。
【０１１２】
＜影響度算出部３４＞
影響度算出部３４は、影響物質の濃度から、影響物質の影響度を算出するものである。換言すれば、影響度算出部３４は、放射光の測定結果（当該測定結果に基づいて算出された肌色値）を用いて、上記影響度を算出するものである。
【０１１３】
影響度算出部３４は、影響物質濃度算出部３３から受信した濃度データが示す影響物質の濃度を、検量線を示す数式に代入することにより、影響度を算出する。ここで、影響度とは、影響物質の存在下での、測定対象物質の蛍光強度の減衰量を示す値（どれだけ蛍光強度が減衰したかを示す値）である。
【０１１４】
例えば、影響度は、影響物質が存在しない（影響物質の影響を受けない）場合における測定対象物質の蛍光強度に対する、影響物質が存在する（影響物質の影響を受ける）場合の測定対象物質の蛍光強度の割合を示す強度比（０＜蛍光強度比＜１）で示すことができる。以降、当該強度比を、「蛍光強度比」と称する。
【０１１５】
また、ここで、検量線を示す数式は、影響物質の濃度から影響度を算出するための式であり、影響物質の濃度と、影響度（蛍光強度比）との関係を示す数式である。算出された影響度は、影響度データとして蛍光強度補正部３５へと送信される。
【０１１６】
なお、上記検量線を示す数式は、予め記憶部２２に格納されており、影響物質濃度算出部３３は記憶部２２から上記検量線の数式を取得する。
【０１１７】
（検量線の算出）
影響物質による影響度の算出方法として、当該影響物質による影響度を算出する方法が考えられる。その一例として、濃度既知の影響物質を用いた実験において、重回帰分析の一種である最小二乗法を用いた検量線の数式を算出する方法を挙げる。
【０１１８】
具体的には、影響物質による影響度を算出するための数式として、互いに異なる影響物質を含む、複数種類の生体組織モデル（皮膚ファントムモデル）に対して、化学分析により算出される各生体組織モデルに含有される影響物質の濃度と、生体組織モデルに励起光を照射した時に得られる測定対象物質からの蛍光強度比（影響物質による影響がない場合の蛍光強度を基準とする）との関係を示す検量線を予め作成しておく。
【０１１９】
例えば、生体組織モデルに含まれるメラニン量を変化させたときのメラニン濃度と、当該生体組織モデルに励起光を照射した時に得られる影響度（蛍光強度比）との間で検量線を引くと、メラニン濃度に応じた補正係数を得ることができる。
【０１２０】
ここでは一例として、以下の式（１７）、
Ｃ＝ａ１×ｅｘｐ（ｂ１×Ｍ×Ｓ）・・・（１７）
に示すように、指数近似で、自然対数ｅを底とする近似曲線を引き、係数ａ１およびｂ１の値を用いて補正（蛍光強度比を算出）する方法を挙げる。式（１７）において、Ｃは蛍光強度比、Ｍはメラニン濃度（μｇ／ｍｍ２）、Ｓは測定範囲（ｍｍ２）である。なお、以下の式（１８）においても同様である。
【０１２１】
なお、上記の近似方法以外に、線形近似、対数近似、多項式近似などを用いてもよい。例えば、以下の式（１８）、
Ｃ＝ａ２×Ｍ×Ｓ＋ｂ２・・・（１８）
に示すように、線形近似で近似曲線を引き、係数ａ２およびｂ２の値を用いて補正してもよい。
【０１２２】
また、測定対象物質の蛍光の強度の減衰量と、各生体組織モデルに含まれる影響物質の濃度との関係を示す検量線から影響度を算出してもよい。また、メラニン以外の影響物質（例えばヘモグロビン）による影響度も、上述した方法と同様の方法で算出することができる。
【０１２３】
なお、上記の方法に限らず、例えば多変量解析によって上記蛍光強度を算出してもよい。
【０１２４】
＜蛍光強度補正部３５＞
蛍光強度補正部３５は、影響物質の影響度を用いて、抽出蛍光データが示す測定対象物質の蛍光強度を補正するものである。
【０１２５】
蛍光強度の補正方法としては、各影響物質の濃度に応じて、影響度をそれぞれ規格化（特定の値を基準とした相対値として表現）し、蛍光の強度と規格化したこれらの影響度との和や差をとる、あるいは積や商をとることが挙げられる。
【０１２６】
蛍光強度の補正の一例として、以下の式（１９）、
Ｙ＝Ｘ／（メラニン由来の蛍光強度比）／（ヘモグロビン由来の蛍光強度比）／
…／（第ｎ影響物質の蛍光強度比）                    ・・・（１９）
に示すように、実際に測定した蛍光の強度（実測値）を、各影響物質の濃度に対応する蛍光強度比（影響度）で除算することで、測定値を真値に近づける方法が挙げられる。なお、式（１９）において、Ｙは補正強度、Ｘは実測値であり、ｎは３以上の自然数である。
【０１２７】
蛍光強度補正部３５は、補正した蛍光強度（補正後蛍光強度と称する）と、肌状態を判定することを命じる判定命令とを判定部３６へと送信する。また、蛍光強度補正部３５は、補正した補正強度を示す補正後蛍光データを記憶部２２へと格納する。
【０１２８】
＜判定部３６＞
判定部３６は、補正後蛍光強度と、所定の参照値（参照蛍光強度と称する）とを比較した結果から、測定部位５０の肌状態を判定するものである。
【０１２９】
なお、参照蛍光強度は、補正後蛍光強度を評価するための基準となる値である。例えば、参照蛍光強度は、予め年齢層ごとに算出された、健常者の補正後蛍光強度の統計値（例えば、平均値）に基づいて算出された、少なくとも１段階の値である。また、参照蛍光強度は、健常者の補正後蛍光強度の範囲であってよい。
【０１３０】
判定部３６は、補正後蛍光強度が参照蛍光強度よりも高い場合に、肌の状態が正常状態から外れていると判定する。さらに、参照蛍光強度を複数段階設けることにより、正常、やや悪化、著しく悪化など、判定結果を複数段階出力してもよい。上述のような判定結果は表示部２１に表示される。
【０１３１】
〔実施の形態３：肌状態測定装置における処理〕
≪肌状態測定装置１００における処理の流れ≫
次に、肌状態測定装置１００における処理の流れの一例を説明する。図２は、肌状態測定装置１００（特に、判定装置２０）における処理の流れの一例を示すフローチャートである。
【０１３２】
まず初めに、ユーザ（測定対象者）は、出射用光ファイバーおよび受光用光ファイバーで構成されるプローブの先端を、測定を所望する肌の箇所（測定部位５０）にあてる。測定装置１０の第１参照光源１３、第２参照光源１４、および第３参照光源１５は、影響物質の測定に適した参照光（第１〜第３参照光）を測定部位５０に対し出射する。測定部位５０に参照光が照射されると、測定部位５０で当該参照光が反射されることにより放射光が生じる。この放射光は、受光用光ファイバーの先端から入射し、検出器１２へと導かれる。検出器１２は、放射光を受光すると、例えば各放射光の波長に応じた反射率を算出し、当該反射率を放射光データとして判定装置２０のデータ取得部３１へ送信する。
【０１３３】
なお、上記３種類の参照光に限らず、４種類以上の参照光が出射されてもよい。
【０１３４】
また一方、上記プローブの先端が測定部位５０にあてられた状態で、測定装置１０の励起光源１１は、測定対象物質（例えばＡＧＥｓ）の蛍光測定に適した波長の励起光を測定部位５０に対し出射する。測定部位５０に励起光が照射されると、測定部位５０で蛍光が生じる。この蛍光は、受光用光ファイバーの先端から入射し、検出器１２へと導かれる。検出器１２は、蛍光を受光すると、当該蛍光の波長ごとの蛍光強度を測定し、その測定結果を示す蛍光データ（蛍光スペクトル）をデータ取得部３１へ送信する。なお、参照光の照射による放射光データの送信工程と励起光の照射による蛍光データの送信工程とは順不同であり、同時に行われてもよい。
【０１３５】
データ取得部３１は、検出器１２から放射光データおよび蛍光データを取得すると（Ｓ１）、蛍光データが示す蛍光スペクトルに対してピークの分離・抽出などの解析を行い、特定のピーク波長における肌内蛍光物質の蛍光強度を抽出する（Ｓ２）。そして、データ取得部３１は、抽出した蛍光強度を示す抽出蛍光データ（図１に示す蛍光データ）を蛍光強度補正部３５へと送信する。また、データ取得部３１は、放射光データを肌色値算出部３２へと送信する。
【０１３６】
次に、肌色値算出部３２は、データ取得部３１から放射光データを受信すると、当該放射光データから肌色値を算出する（Ｓ３：濃淡値算出工程）。具体的には、放射光データ（放射光の反射率）から三刺激値Ｘ、Ｙ、Ｚを算出し、三刺激値Ｘ、Ｙ、ＺからＬ＊値、ａ＊値、ｂ＊値を算出する。そしてＬ＊値およびｂ＊値からＩＴＡ°を算出する。肌色値算出部３２は、算出したＩＴＡ°（または、Ｌ＊値、ａ＊値、ｂ＊値）を示す肌色値データを、影響物質濃度算出部３３へと送信する。
【０１３７】
影響物質濃度算出部３３は、肌色値算出部３２から肌色値データを受信すると、記憶部２２から、肌色値と影響物質の濃度との関係を示す数式（検量線）を読み出し、当該数式に受信した肌色値データの値を代入することにより、影響物質の濃度を算出する（Ｓ４：影響物質濃度算出工程）。影響物質濃度算出部３３は、算出した影響物質の濃度値を示す濃度データを、影響度算出部３４へと送信する。
【０１３８】
影響度算出部３４は、影響物質濃度算出部３３から濃度データを受信すると、記憶部２２から、影響物質の濃度と影響度との関係を示す数式（検量線）を読み出し、当該数式に濃度データが示す影響物質の濃度を代入することにより、影響度を算出する（Ｓ５：影響度算出工程）。影響度算出部３４は、算出した影響度を示す影響度データを、蛍光強度補正部３５へと送信する。
【０１３９】
蛍光強度補正部３５は、影響度算出部３４から影響度データを受信すると、影響度データが示す影響度を用いて、データ取得部３１から受信した抽出蛍光データが示す蛍光強度を補正する（Ｓ６：蛍光強度補正工程）。蛍光強度補正部３５は、補正した補正強度を示す補正後蛍光データを、判定部３６へと送信する。
【０１４０】
蛍光強度補正部３５は、補正した蛍光強度を示す補正後蛍光データを記憶部２２に格納するとともに、肌状態を判定することを命じる判定命令を判定部３６に出力する。
【０１４１】
判定部３６は、記憶部２２に格納された補正後蛍光データから肌内蛍光物質（好ましくはＡＧＥs）の補正後蛍光強度を抽出する。
【０１４２】
そして、判定部３６は、抽出した補正後蛍光強度と、記憶部２２に予め格納されている参照蛍光強度とを比較することにより肌状態の悪化の程度を判定する（Ｓ７）。
【０１４３】
参照蛍光強度として、例えば、１０代、２０代といった年齢層ごとに、肌内蛍光物質（好ましくはＡＧＥs）の補正蛍光強度の平均値が求められ、予め記憶部２２に格納されている。測定対象のユーザの年齢は、予め記憶部２２に格納されているか、または、測定時にユーザによって操作部（不図示）を介して入力される。
【０１４４】
判定部３６は、測定対象のユーザの年齢に対応する参照蛍光強度を記憶部２２から読み出し、実測蛍光強度と比較する。例えば、判定部３６は、実測蛍光強度が参照蛍光強度よりも高い場合、ユーザの肌の状態は悪いと判定する。
【０１４５】
肌状態の判定を終えると、判定部３６は、判定結果を表示部２１へ出力し、表示部２１にて表示させる（Ｓ８）。
【０１４６】
以上のように、本実施形態における肌状態測定方法（上記の処理工程の一部）によれば、上記３種類以上の放射光の測定結果（放射光の反射率）を用いて影響度の算出を行い、当該影響度を用いて蛍光の強度を補正する。これにより、測定装置１０にて検出した肌内蛍光物質の蛍光強度を、皮膚の色合いに応じて補正することができる。したがって、皮膚の色合いを加味した上で影響物質の影響を排することできるので、肌内蛍光物質の蛍光強度を、より精度良く測定することができる。
【０１４７】
なお、Ｓ２の処理と、Ｓ３〜Ｓ５の処理との順序は逆になってもよい。また、Ｓ２の処理とＳ３〜Ｓ５の処理とを同時に行ってもよい。
【０１４８】
〔ソフトウェアによる実現例〕
判定装置２０の制御ブロック（制御部３０）は、集積回路（ＩＣチップ）等に形成された論理回路（ハードウェア）によって実現してもよいし、ＣＰＵ（Central Processing Unit）を用いてソフトウェアによって実現してもよい。
【０１４９】
後者の場合、判定装置２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５０】
〔まとめ〕
本発明の態様１に係る肌状態測定方法（肌状態測定装置１００における処理）は、
２８０ｎｍ以上、４１０ｎｍ以下の波長範囲にピークを有する励起光を生体の測定部位（５０）に照射することによって生じる、測定対象物質（例えばＡＧＥs等の肌内蛍光物質）の蛍光の強度に基づいて肌状態を測定する肌状態測定方法であって、
３８０ｎｍ以上、８００ｎｍ以下の波長範囲の３種類以上の、上記生体の皮膚の色合いを特定するための参照光を上記測定部位に照射することによって上記生体から放射される放射光の測定結果（放射光データ）を用いて、上記測定部位に含まれると推定される影響物質（例えばメラニンやヘモグロビン等）の、上記蛍光の強度に及ぼす影響を示す影響度を算出する影響度算出工程（Ｓ５）と、
上記影響度算出工程において算出した影響度を用いて、上記蛍光の強度を補正する蛍光強度補正工程（Ｓ６）と、を含んでいる。
【０１５１】
さらに、本発明の態様８に係る肌状態測定装置（１００）は、
２８０ｎｍ以上、４１０ｎｍ以下の波長範囲にピークを有する励起光を生体の測定部位（５０）に照射することによって生じる、測定対象物質（例えばＡＧＥs等の肌内蛍光物質）の蛍光の強度に基づいて肌状態を測定する肌状態測定装置であって、
３８０ｎｍ以上、８００ｎｍ以下の波長範囲の３種類以上の、上記生体の皮膚の色合いを特定するための参照光を上記測定部位に照射することによって上記生体から放射される放射光の測定結果（放射光データ）を用いて、上記測定部位に含まれると推定される影響物質（例えばメラニンやヘモグロビン等）の、上記蛍光の強度に及ぼす影響を示す影響度を算出する影響度算出部（３４）と、
上記影響度算出部によって算出された影響度を用いて、上記蛍光の強度を補正する蛍光強度補正部（３５）と、を備えている。
【０１５２】
上記の構成によれば、２８０ｎｍ以上４１０ｎｍ以下の波長範囲にピークを有する励起光を生体の測定部位に照射することにより、当該励起光を受けて蛍光を発する測定物質の蛍光が発生し、その蛍光の強度を測定することにより、当該測定対象物質の蓄積量を測定することができる。
【０１５３】
このようにして得られた蛍光の強度は、測定部位に含まれる影響物質の影響により、真の値よりも低い値となっている可能性が高い。
【０１５４】
そこで、影響度算出工程（影響度算出部）において、３８０ｎｍ以上８００ｎｍ以下の波長範囲の３種類以上の参照光を測定部位に照射することによって生じる放射光の強度を示す測定結果を用いて、影響物質の、蛍光の強度に及ぼす影響を示す影響度を算出する。この少なくとも３種類の参照光は、生体の皮膚の色合いを特定するために、生体の測定部位に照射されるものであり、影響度算出工程（影響度算出部）では、その参照光が測定部位に照射されることにより、その測定部位から放射光が放射されたときの放射光の測定結果を用いて、上記影響度を算出する。これにより、上記参照光を測定部位に照射することにより、皮膚の色合いを加味した影響度を算出することができる。
【０１５５】
そして、蛍光強度補正工程（蛍光強度補正部）において、算出した影響度を用いて測定対象物質の蛍光の強度を補正することにより、測定される蛍光の強度に与える影響物質の影響を、皮膚の色合いを加味した上で排することができる。
【０１５６】
これにより、測定対象物質から発せられた蛍光の強度を精度良く補正し、当該蛍光の強度を真値に近づけることができるので、測定対象である生体内に蓄積された測定対象物質の量を精度よく測定することができる。
【０１５７】
さらに、本発明の態様２に係る肌状態測定方法は、態様１において、
上記放射光の測定結果に基づいて、上記皮膚の色の濃淡の度合いを示す濃淡値（肌色値）を算出する濃淡値算出工程（Ｓ３）をさらに含み、
上記影響度算出工程では、上記濃淡値算出工程において算出された上記濃淡値を用いて、上記影響度を算出することが好ましい。
【０１５８】
上記の方法によれば、濃淡値算出工程では、皮膚の色の濃淡の度合いを示す濃淡値を、上述した参照光が測定部位に照射されることにより得られる放射光の測定結果に基づいて算出する。そして、影響度算出工程では、その濃淡値を用いて上記影響度を算出する。それゆえ、皮膚の色合いを加味した影響度を算出することができる。
【０１５９】
さらに、本発明の態様３に係る肌状態測定方法は、態様２において、
上記濃淡値算出工程では、上記測定部位に照射された上記参照光に対する上記放射光の割合（放射光の反射率）としての上記放射光の測定結果と、人目の標準的な分光感度を示す等色関数とを用いて、三刺激値（Ｘ、Ｙ、Ｚ）を算出し、
上記三刺激値を用いて、上記濃淡値を算出することが好ましい。
【０１６０】
上記の方法によれば、濃淡値算出工程では、上記三刺激値を用いて上記濃淡値を算出する。上記三刺激値は、上記放射光の測定結果として得られた上記割合の分光特性を示すものであって、一般に色合いを判断するときに用いられる三色表色系（ＸＹＺ表色系）における当該色合いを示す値である。したがって、三刺激値は、物質（本願では皮膚）の色合いを特定する値として有効な値といえる。
【０１６１】
その三刺激値を用いて上記濃淡値を算出するので、皮膚の色合いを精度よく特定することができる。それゆえ、皮膚の色合いを加味した影響度を用いた蛍光の強度の補正を、さらに精度よく行うことができる。
【０１６２】
さらに、本発明の態様４に係る肌状態測定方法は、態様２または３において、
上記濃淡値算出工程では、上記放射光の明度を示す明度値と、上記放射光に含まれる光のうちの黄色光の度合いを示す黄色度値とを用いて、上記濃淡値を算出することが好ましい。
【０１６３】
上記の方法によれば、濃淡値算出工程では、上記明度値および黄色度値を用いて上記濃淡値を算出する。上記明度値および黄色度値は、一般に色合いを判断するときに用いられる表色系における当該色合いの値を示すものであり、物質（本願では皮膚）の色合いを特定する値として有効な値である。
【０１６４】
その明度値および黄色度値を用いて、上記濃淡値を算出するので、皮膚の色合いを精度よく特定することができる。それゆえ、皮膚の色合いを加味した影響度を用いた蛍光の強度の補正を、さらに精度よく行うことができる。
【０１６５】
なお、上記表色系としては、例えばＬ＊ａ＊ｂ＊表色系が挙げられる。この場合、明度値はＬ＊値、黄色度値はｂ＊値を指す。
【０１６６】
さらに、本発明の態様５に係る肌状態測定方法は、態様４において、
上記濃淡値算出工程では、上記放射光に含まれる光のうちの赤色光の度合いを示す赤色度値をさらに用いて、上記濃淡値を算出することが好ましい。
【０１６７】
上記の方法によれば、濃淡値算出工程では、上記明度値、黄色度値および赤色度値を用いて上記濃淡値を算出する。上記赤色度値は、上記照度値等と同様、一般に色合いを判断するときに用いられる表色系における当該色合いの値を示すものであり、物質の色合いを特定する値として有効な値である。それゆえ、明度値および黄色度値に加えてその赤色度値を用いて、上記濃淡値を算出するので、皮膚の色合いをさらに精度よく特定することができる。
【０１６８】
なお、上記表色系がＬ＊ａ＊ｂ＊表色系である場合、赤色度値はａ＊値を指す。
【０１６９】
さらに、本発明の態様６に係る肌状態測定方法は、態様２から５のいずれかにおいて、
上記濃淡値算出工程において算出した上記濃淡値を用いて、上記影響物質の濃度を算出する影響物質濃度算出工程（Ｓ４）をさらに含み、
上記影響度算出工程では、上記影響物質濃度算出工程において算出された上記影響物質の濃度を用いて、上記影響度を算出することが好ましい。
【０１７０】
上記の方法によれば、影響物質濃度算出工程では、上記濃淡値を用いて、測定部位に含まれると推定される影響物質の濃度を算出するので、皮膚の色合いを加味した当該濃度の算出を行うことができる。
【０１７１】
また、影響物質の濃度を用いることにより、測定部位に含まれる影響物質の量を正確に推定することができる。
【０１７２】
さらに、測定対象物質の蓄積量の測定時に、皮膚を剥離して化学分析を行う必要がないので、生体を侵襲することなく、影響物質の濃度を算出することができる。
【０１７３】
さらに、本発明の態様７に係る肌状態測定方法は、態様１から６のいずれかにおいて、
上記参照光は、
青色領域の波長範囲の第１参照光と、
緑色領域の波長範囲の第２参照光と、
赤色領域の波長範囲の第３参照光と、
を含むことが好ましい。
【０１７４】
上記の方法によれば、上記波長範囲の第１参照光、第２参照光および第３参照光を用いることにより、皮膚の色合いを精度よく特定することができる。
【０１７５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【実施例】
【０１７６】
〔補正式の構築〕
次に、肌内蛍光物質（特に肌内ＡＧＥs）の蛍光測定において、影響度を用いて肌内蛍光物質の蛍光強度を補正するための数式を構築した例を示すことにより、肌状態測定装置１００で用いられる補正式（影響度を算出するための数式）が高精度に機能することについて説明する。本実験例では、生体を近似した皮膚ファントムモデルを作製し、皮膚ファントムモデルにおける肌内蛍光物質（ＡＧＥｓ）の蛍光強度を測定することにより、肌色値とＡＧＥｓの蛍光強度との関係を調べた。
【０１７７】
≪皮膚ファントムモデルの調製≫
まず、皮膚ファントムモデルの調製について説明する。図３は、本実験例にて調製した皮膚ファントムモデルの一例を示す図である。
【０１７８】
（真皮層モデルの調製）
皮膚ファントムモデルの真皮層モデルとして、本実験例では、濃度固定（濃度既知）のＡＧＥ−ＢＳＡを用いた。ＡＧＥ化ウシ血清アルブミン（ＡＧＥ−ＢＳＡ）は、ＢＳＡ（ウシ血清アルブミン）とグルコースとを混合し、４０℃に設定したインキュベータ内で１４日間反応させることにより生成した。加えて、生成したＡＧＥ−ＢＳＡを寒天溶液（２．０ｇ／１００ｍｌ）に添加し、ＡＧＥ−ＢＳＡの濃度を４０ｍｇ／ｍｌになるように調製した。
【０１７９】
（表皮層モデルの調製）
皮膚ファントムモデルの表皮層モデルとして、本実験例では、３次元培養表皮を用いた。３次元培養表皮は、形態的にヒトの皮膚に類似した構造をしており、基底層・有棘層・顆粒層・角質層を有している。３次元培養表皮は、３７℃でＣＯ２濃度５％に設定したインキュベータ内で、３次元培養表皮からなる表皮層モデルを１４日間培養することにより調製した。上記３次元培養表皮のサンプルは１２枚作成され、上記培養時にそれぞれ４枚ずつ、３種類の濃度（０％、０．２５％、０．５％）のコウジ酸（美白剤）で処理された。これにより、影響物質の濃度（肌色）が互いに異なる３種類の表皮モデルを、それぞれ４枚ずつ調製することができた。なお、３次元培養表皮モデルは、クラボウ株式会社製のＭＥＬ−３００−Ａを用いた。
【０１８０】
（皮膚ファントムモデルの調製）
図３に示した通り、調製したＡＧＥ−ＢＳＡをカップ内に入れ、その上から、複数種類の、調製した３次元培養表皮を載せた。これにより、ヒトの皮膚のように、真皮層の外側（カップの上側）に表皮層が存在するような構成とした。
【０１８１】
≪各種データの測定≫
上記手順で調製した皮膚ファントムモデルに対し、以下の測定１〜４を行い、各種データを得た。
【０１８２】
（測定１：基準とする蛍光強度の測定）
まず、真皮層モデルに対し、励起光を直接（表皮層モデルを介さずに）照射することにより蛍光データ（すなわち、ＡＧＥｓの蛍光強度）を測定した。なお、ＡＧＥｓ蛍光測定用の励起光源として３６５ｎｍのＬＥＤ光源を用い、検出器としての分光器は市販の小型の分光器を用いた。
【０１８３】
（測定２：蛍光強度の測定）
次に、皮膚ファントムモデルに対し、ＡＧＥｓの蛍光強度の測定を行った。図３に示すように、皮膚ファントムモデルの入ったカップの上面から励起光を照射することにより、蛍光データ（すなわち、ＡＧＥｓの蛍光強度）を測定した。なお、測定１と同様に、ＡＧＥｓ蛍光測定用の励起光源として３６５ｎｍのＬＥＤ光源を用い、検出器としての分光器は市販の小型の分光器を用いた。
【０１８４】
（測定３：肌色値の算出）
続いて、上記表皮層モデルそれぞれに対し、肌色測定を行った。すなわち、上記表皮層モデルに対し参照光を照射し、得られた放射光データを解析することにより、肌色値（ＩＴＡ°）を算出した。なお、測色装置としては、ＪＩＳＺ８７２２［物体色―測定方法］の規格に準拠して作製された市販の分光測色計を用いた。
【０１８５】
（測定４：影響物質の濃度測定）
最後に、化学分析により表皮層モデルにおける影響物質の濃度を測定した。調製した表皮層モデル（３次元培養表皮）それぞれに対し、５％トリクロロ酢酸、エタノール/ジエチルエーテル溶液、１００％ジエチルエーテル溶液で洗浄後、水酸化ナトリウム水溶液（１Ｍ）を添加し、１００℃で１０分間加熱溶解した。そして、マイクロプレートリーダーを用いて、溶解した溶液の４０５ｎｍにおける吸光度測定を行い、影響物質の濃度を測定した。
【０１８６】
≪測定結果≫
（基準蛍光強度の算出）
まず、測定１の結果から、ＡＧＥｓの蛍光強度の基準となる値について説明する。図４は、測定１にて得られた蛍光スペクトルを示している。同図では、横軸に蛍光の波長（ｎｍ）、縦軸に蛍光の強度（ａ．ｕ．）を示した。図示の通り、波長４５０ｎｍ付近において、蛍光強度が４１８１ａ．ｕ．を示した。この蛍光強度（４１８１ａ．ｕ．）を、影響物質による影響がない場合のＡＧＥｓの蛍光強度であるとした。以降、上記蛍光強度を、「基準蛍光強度」と記述する。
【０１８７】
（肌色値と影響物質の濃度との関係）
次に、測定２〜４の結果から、肌色値と影響物質の濃度との関係について説明する。図５は、図３に示した皮膚ファントムモデルを用いた算出した表皮層モデルの肌色値（ＩＴＡ°）と、表皮層モデルに含まれる影響物質の濃度との関係を示すグラフである。肌色値は上記測定２にて測定した値を用いた。また、影響物質の濃度は上記測定３にて化学分析により定量した値を用いた。
【０１８８】
同図では、横軸に表皮層モデルのＩＴＡ°、縦軸に表皮層モデルに含まれる影響物質の濃度（μｇ／ｍｍ２）を示している。
【０１８９】
図５に示すように、表皮層モデルのＩＴＡ°と、表皮層モデルに含まれる影響物質の濃度とは、以下の回帰式（２０）、
Ｍ＝ｃ×ＩＴＡ°＋ｄ・・・（２０）
に示すように、線形近似できることがわかった。式（２０）において、Ｍは影響物質の濃度（μｇ／ｍｍ２）、ｃおよびｄは係数である。
【０１９０】
また、本実施例で得られた表皮層モデルのＩＴＡ°と、表皮層モデルに含まれる影響物質の濃度とは高い相関関係を示した。このことから、ＩＴＡ°と影響物質の濃度との関係を示す回帰式を用いることで、肌色測定にて得られた肌色値から、高い精度で影響物質の濃度を算出することができることがわかった。
【０１９１】
なお、線形近似に限らず、指数近似などを用いても上記式（２０）と同様の回帰式を得ることができる。また、肌色値として、Ｌ＊値、ａ＊値、ｂ＊値を用いて、影響物質の濃度を多変量解析により近似しても同様の効果が得られた。
【０１９２】
（影響物質の量と影響度（蛍光強度比）との関係）
最後に、測定１〜４の結果から、影響物質の濃度（影響物質の量）と、影響度（ＡＧＥｓの蛍光強度比）との関係について説明する。
【０１９３】
図６は、表皮モデルに含まれる影響物質の量と、測定２および測定３にて得られたＡＧＥｓの蛍光強度との関係を示すグラフである。
【０１９４】
同図では、横軸に測定面積における影響物質の量を示し、縦軸に、測定１にて得られた基準蛍光強度（影響物質非存在下での蛍光強度）と、測定２にて得られた蛍光強度（影響物質存在下での蛍光強度）との強度比を示した。
【０１９５】
図示の通り、影響物質の量と上記強度比とは、以下の回帰式（２１）、
Ｃ＝ｅｘｐ（ｂ×Ｎ）・・・（２１）
で示されるように、自然対数ｅを底とする指数関数で近似できることがわかった。式（２１）において、Ｃは蛍光強度比、Ｎは影響物質の量（μｇ）、ｂは係数である。また、影響物質の量Ｎは、Ｍ（測定２にて得た影響物質の濃度：μｇ／ｍｍ２）と、Ｓ（測定範囲：ｍｍ２）とを乗じることにより求められる。
【０１９６】
上述のように、本実施例で得られた影響物質の影響度（蛍光強度比）と、影響物質の量とは、高い相関関係を示す。このことから、影響物質の影響度と、影響物質の量との関係を示す回帰式を用いることで、高い精度で影響度を算出できることがわかった。それゆえ、算出した影響度を用いて蛍光の実測値を補正することにより、肌内蛍光物質（ＡＧＥｓ）の蛍光強度を精度よく補正することができる。なお、指数近似に限らず、線形近似などを用いても上記式（２１）のような補正式を得ることができる。
【０１９７】
以上の実験結果から、肌色（皮膚の色合い）を測定することで、精度良く肌中に含まれる影響物質の濃度を算出でき、さらに算出された影響物質の濃度から、精度良く影響度を算出することができた。したがって、上記補正式を用いて、肌内蛍光物質（好ましくはＡＧＥs）の蛍光強度を精度よく補正できることがわかった。
【０１９８】
〔補正式の有用性確認試験〕
上記皮膚ファントムモデルを用いた試験で得られた補正式の有用性を確認するために、健常な日本人男性１１５名（２３〜６０歳）を対象に、測定部位としての露光部である手の甲と頬部とのそれぞれについて蛍光測定試験および肌色測定試験を実施し、実年齢と補正前後の蛍光データとの関係を検討した。
【０１９９】
蛍光測定試験では、励起光源として３６５ｎｍのＬＥＤ光源を用いた。そして、当該ＬＥＤ光源からの励起光が肌に照射されることにより、４５０〜４７５ｎｍ付近にピークを有する蛍光を検出し、その蛍光の強度（蛍光の実測値）を測定した。肌色測定試験では、ＪＩＳＺ８７２２［物体色―測定方法］の規格に準拠して作製された市販の分光測色計を用いて、Ｌ＊値、ａ＊値、ｂ＊値を測定し、ＩＴＡ°を得た。
【０２００】
上記２つの測定試験で得られた蛍光の実測値およびＩＴＡ°を、以下の式（２２）、
Ｙ＝Ｘ／ｅｘｐ｛ｂ×（ｃ×ＩＴＡ°＋ｄ）×Ｓ｝・・・（２２）
に代入することで、蛍光強度を補正した。式（２２）において、Ｙは補正強度、Ｘは実測値、Ｓは測定範囲（ｍｍ２）である。また、ｂ、ｃ、ｄは係数である。
【０２０１】
図７は、頬における年齢と補正前後の蛍光強度との関係を示すグラフである。同図では、横軸に被験者の年齢（歳）を示し、縦軸にＡＧＥｓの蛍光強度（ａ．ｕ．）を示している。なお、図７では、補正前の測定値を三角印で示し、補正後の測定値を丸印で示す。
【０２０２】
ところで、肌内蛍光物質（好ましくは肌内ＡＧＥs）の蛍光強度は、加齢とともに増加することが知られている。図７に示す通り、補正前データの回帰式においては、年齢が増加しても蛍光強度はほぼ一定となるのに対し、補正後データの回帰式においては、年齢の増加とともに蛍光強度も増加する傾向が現れた。
【０２０３】
また、上記肌内蛍光物質の蛍光強度は、影響物質の影響を受けて真値よりも低く検出されることも知られている。図７によると、補正後データの回帰式は、補正前データの回帰式と比べると、蛍光強度自体が全体的に増加していた。
【０２０４】
さらに、上記肌内蛍光物質の量には個人差があることが知られている。図７において、プロットされた各データ（各被験者）に着目すると、補正前データ間よりも、補正後データ間（被験者間）での蛍光強度の差の方が、より大きくなっていた。換言すると、補正後データにおいては、被験者間で、蛍光強度の個人差が大きくなっていた。
【０２０５】
以上のことから、本実施例に係る上記補正式を用いることにより、肌内蛍光物質の蛍光強度を、より精度良く（影響物質の影響を排除し、より真の値に近い値として）求めることができることが確認された。したがって、本実施例の補正式が有用であることが確認された。
【０２０６】
次に、図８は、手の甲における年齢と補正前後の蛍光強度との関係を示すグラフである。なお、図８では、補正前の測定値を三角印で示し、補正後の測定値を丸印で示す。
【０２０７】
図８においても、補正後データについて、年齢とともに蛍光強度が増加する傾向が見られた。また、補正前データの蛍光強度と比べ、補正後データの蛍光強度が増加していた。さらに、プロットされた各データについて、補正後の各データの蛍光強度のばらつき（個人差）が大きくなった。これは、図７と同じ結果であるといえる。したがって、本実施例の補正式が、測定部位に関わらず有用であることもわかった。
【０２０８】
以上のように、本実施例における測定方法および補正式を用いることで、肌内に含まれる影響物質の影響を排除し、測定対象物質（好ましくは肌内ＡＧＥs）の蛍光強度をより精度よく測定することができることが確認された。
【産業上の利用可能性】
【０２０９】
本発明は、肌状態に適した抗老化や抗糖化効果等の化粧品・医薬品の選択、肌のカウンセリング、あるいは化粧品・医薬品の有効性評価・モニタリング等、多方面に利用できる。
【符号の説明】
【０２１０】
１０  測定装置
１１  励起光源
１２  検出器
１３  第１参照光源
１４  第２参照光源
１５  第３参照光源
１６  測定対象物質測定部
１７  影響物質測定部
２０  判定装置
２１  表示部
２２  記憶部
３０  制御部
３１  データ取得部
３２  肌色値算出部
３３  影響物質濃度算出部
３４  影響度算出部
３５  蛍光強度補正部
３６  判定部
１００  肌状態測定装置
【図１】
2015062572.tif 000008
【図２】
2015062572.tif 000009
【図３】
2015062572.tif 000010
【図４】
2015062572.tif 000011
【図５】
2015062572.tif 000012
【図６】
2015062572.tif 000013
【図７】
2015062572.tif 000014
【図８】
2015062572.tif 000015